(57)【特許請求の範囲】
【請求項１】
スライダー及び箱棒、箱、蝶棒を一体に形成した開具を、各々左側部と右側部に分割する完全分離型スライドファスナーにおいて、合成樹脂又はアルミ合金及び帯磁しない金属から成形したスライダー及び開具、各々を左側部と右側部に分割する傾斜したクランク状の断面内に磁石とフックを一体化した凹凸を有する断面により左側部と右側部を係止する、係合・分離ができるスライドファスナー。
【請求項２】
スライダー及び開具を、各々５度前後がベストの傾斜角度を有するクランク状の断面で、左側部と右側部に分割成型した同形状の左側部と右側部を有し、スライダーと開具の切断面が同一の傾斜角度を有する、ことを特徴とする請求項１記載のスライドファスナー。
【請求項３】
スライダー及び開具、各々にある二つの重合面に、厚み方向に磁化する同円周の円形磁石の極性を、各々分離している左側部と右側部が吸着すると共に、スライダーの左側部と開具の左側部が吸着し及びスライダーの右側部と開具の右側部が吸着するように埋め込み、相対するＳ極Ｎ極一対の凹凸を設けて、該磁石を吸着させ凹凸を噛み合わせることにより係止する、ことを特徴とする請求項１又は２に記載のスライドファスナー。
【請求項４】
スライダー及び開具、各々を分割した左側部と右側部の相対する重合面に、厚み方向に磁化する同円周の円形磁石を、合成樹脂又はアルミ合金及び帯磁しない金属で、各々分離している左側部と右側部が吸着すると共に、スライダーの左側部と開具の左側部が吸着し及びスライダーの右側部と開具の右側部が吸着するように覆い埋め込んだ凹凸の外郭を、各々接着して該磁石を吸着させ凹凸を噛み合わせることにより係止する、ことを特徴とする請求項１又は２に記載のスライドファスナー。
【請求項５】
スライダー及び開具、各々を左側部と右側部に分割する傾斜したクランク状の断面と、各々の左側部と右側部に設けた円形磁石の凹凸により係止した重合面が、左右の引張荷重に対して外れない、ことを特徴とする請求項１又は２に記載のスライドファスナー。
【請求項６】
スライダー及び開具、各々を左側部と右側部に分割するクランク中央の切断面と平行に、円形磁石の磁化する方向の傾斜角度を同一にする、ことを特徴とする請求項１記載のスライドファスナー。
【発明の詳細な説明】
【技術分野】
【０００１】    本発明は、分割スライダー及び分割した一体形成の開具をその形状と磁力により係止する、係合・分離が出来るスライドファスナーに関するものである。
【背景技術】
【０００２】    スライダー及び箱棒、箱、蝶棒を一体に形成した開具を、各々左側部と右側部に分割する完全分離型スライドファスナーにおいて、スライダー及び開具、各々の分離している左側部と右側部を磁力とフックにより適切に係合する公知技術がある。（特許文献１参照）【０００３】
【特許文献１】特開２００５−２４６００６号広報
【発明の開示】
【発明が解決しようとする課題】
【０００４】    しかしながら、吸着する磁石とフックを個別に設けているためにスライダー及び開具を係止する時は押し圧を加える必要があり、又、ファスナーチエンが閉鎖している時の開具には、外れては困る横方向の引張荷重に対する係合保持力が弱いと言う問題点がある。【０００５】    本発明は、この先行技術の問題点を解決しようとするもので、スライダー及び開具、各々を分割している特殊な断面と磁化方向を適切にした磁石とフックを一体化した凹凸により、各々の分離している左側部と右側部をより簡単に係止して、使用時に十分な係合保持力を有するスライドファスナーを提供することを目的とするものである。
【課題を解決するための手段】
【０００６】    本発明は、合成樹脂又はアルミ合金及び帯磁しない金属から成形したスライダー及び一体形成の開具を、各々同形状の左側部と右側部に分割する５度前後がベストの傾斜角度を有するクランク状の特殊な断面と、その重合面に、厚み方向に磁化する同円周の円形磁石をクランク中央の切断面と平行にした磁化方向で埋め込み又は接着して設けたＳ極Ｎ極一対の相対する凹凸と、各々の分離している左側部と右側部を吸着させると共にスライダーの左側部と開具の左側部が吸着し及びスライダーの右側部と開具の右側部が吸着する構成で磁力の極性を適正化（図８）することにより、該磁石を吸着させ凹凸を噛み合わせて係止した重合面が引張荷重に対して外れない一方向を有する、係合・分離ができる完全分離型マグネットスライドファスナーを提供することで上記課題を解決したものである。
【発明の効果】
【０００７】    本発明によれば、開具に接する位置に在るスライダーの引き手を持って、分離しているファスナーチエンの最下部を重ねるように近づけると、瞬時に分離している四個の半体がひとつに固まり、スライダー及び開具、各々の左側部と右側部が的確に係止して一体化する、その時点で直ぐにスライダーを引き上げてファスナーチエンを閉鎖することができる。【０００８】    閉鎖しているファスナーチエンを分離開放する時は、スライダーの引き手を持って重合面を剥がす方向に引き離せば、スライダーがどの位置でもスムーズに分離できる。又、開具においては、閉鎖しているファスナーチエンの外れては困る一方向に対しては外れないものであるが、開具からの分離開放は何時でもすぐに可能である。【０００９】    以上のように、スライダーの引き手だけで操作ができる本発明のスライドファスナーは、老人、子供、身体の不自由な人にも扱い易く、スライダー及び開具、各々を分割している特殊な断面を逆にすることで右利き用と左利き用の製品も設定すればさらに扱い易くできる効果がある。【００１０】    又、閉鎖しているファスナーチエンのスライダーを残して、開具からファスナーチエンを分離開放すれば、ワンポイントの可動するボタン及びホックとなり、従来のスライドファスナーとは異なった感覚で使用できる効果がある。
【実施例】
【００１１】    製品は、従来のスライドファスナーの製造方法で、合成樹脂又はアルミ合金及び帯磁しない金属から成形するスライダーと開具の部分を、本発明のスライダーと開具の適切な形状に変えて成型したものに、厚み方向に磁化する同円周の円形磁石を埋め込み又は接着することで完成する。
【図面の簡単な説明】
【００１２】
【図１】  本発明のマグネットスライドファスナーの平面図である。
【図２】  矢印Ｚから見た本発明のスライダーの正面図である。
【図３】  矢印Ｚから見た本発明の開具の正面図である。
【図４】  本発明のスライダーの斜視図である。
【図５】  本発明のスライダーを分離した斜視図である。
【図６】  本発明の開具の斜視図である。
【図７】  本発明の開具を分離した斜視図である。
【図８】  磁性体８個の磁化方向の適正化を示した斜視図である（表示のＳ、Ｎの極性は総てが逆でも可能である）。
【図９】  円形磁石の核を持つ凹凸を接着した、Ｘ−Ｘ、Ｙ−Ｙの断面をずらした図面である。
【符号の説明】
【００１３】    １    本発明のスライダー右側
１´  本発明のスライダー左側
２    本発明の開具右側
２´  本発明の開具左側
３    ファスナーエレメント右側
３´  ファスナーエレメント左側
４    ストリンガーテープ右側
４´  ストリンガーテープ左側
５    引き手、取り付け部右側
５´  引き手、取り付け部左側
６    引き手、取り付け穴右側
６´  引き手、取り付け穴左側
７    テープ溝右側
７´  テープ溝左側
Ａ    本発明のスライダー右側、上部円形磁石
Ａ´  本発明のスライダー左側、上部円形磁石
Ｂ    本発明のスライダー右側、下部円形磁石
Ｂ´  本発明のスライダー左側、下部円形磁石
Ｃ    本発明の開具右側、上部円形磁石
Ｃ´  本発明の開具左側、上部円形磁石
Ｄ    本発明の開具右側、下部円形磁石
Ｄ´  本発明の開具左側、下部円形磁石
Ｅ、Ｅ´、Ｆ、Ｆ´、Ｇ、Ｇ´、Ｈ、Ｈ´    核の円形磁石
Ｉ、Ｊ´、Ｋ、Ｌ´    凹部の外郭
Ｉ´、Ｊ、Ｋ´、Ｌ    凸部の外郭。
【図１】
0004395785.tif 000002
【図２】
0004395785.tif 000003
【図３】
0004395785.tif 000004
【図４】
0004395785.tif 000005
【図５】
0004395785.tif 000006
【図６】
0004395785.tif 000007
【図７】
0004395785.tif 000008
【図８】
0004395785.tif 000009
【図９】
0004395785.tif 000010